(57)【要約】【課題】デッキプレート１の上下面４、５に溶接縞の発生などの印可の影響を生じさせない。【解決手段】上面に結合リブ７、７を有するデッキプレート１上に、トラス１５、１５を連結した連結鉄筋２０を配置する。連結鉄筋２０の平坦部２１、２２を結合リブ７、７上に載置する。次に、結合リブ７、７を挟み、上下電極２６、２７を配置し、上電極２６で連結鉄筋２０を押圧しながら印加する。印可により融けて、結合リブ７に凹入部８が形成され、連結鉄筋２０が嵌合された状態で溶接固定され、トラス付きデッキプレート３０を構成する（ａ）。凹入部８の下縁９とデッキプレート１の上面４とに距離Ｈ０の間隙が形成され（ｃ）（ｅ）、上下電極２６、２７はデッキプレート１に接触しない。【選択図】図１
2006226022.tif 000002
【特許請求の範囲】
【請求項１】
トラスの下端部をデッキプレートの上面側に溶接して固定してなるトラス付きのデッキプレートであって、以下を特徴とするトラス付きのデッキプレート。
(1) デッキプレートの上面に、結合リブを形成した。
(2) 前記結合リブに形成した凹入部内にトラス部材又はトラスの補助材からなるトラス部材を溶接固定した。
(3) 前記凹入部の下縁とデッキプレートの上面との間に、間隙を形成した。
【請求項２】
以下の手順で製造することを特徴としたトラス付きデッキプレートの製造方法。
(1) デッキプレートは、上面側に結合リブを形成する。
(2) 前記デッキプレート上にトラス又はトラスの補助材からなるトラス部材を載置する。
(3) 前記結合リブを挟んで、デッキプレートの上面側、下面側に夫々上電極、下電極を配置する。
(4) 前記上電極で前記トラス部材を前記結合リブに押し付けるように加圧しながら、両電極に通電して、前記結合リブを溶融して凹入部を形成し、凹入部内にトラス部材を位置させた状態で、前記トラス部材とデッキプレートとを溶接固定する。
(5) 前記凹入部の下縁とデッキプレートの上面との間に、間隙を形成する。
【発明の詳細な説明】
【技術分野】
【０００１】
この発明は、鉄骨構造物、コンクリート構造物で、床をコンクリートで形成する際に使用するデッキプレートで、デッキプレートの表面に溶接縞を形成しなようにすることを目的としたトラス付きデッキプレート、及びこのトラス付きデッキプレートの製造方法に関する。
【背景技術】
【０００２】
鉄筋コンクリート構造、鉄骨構造、鉄骨鉄筋コンクリート構造等で、コンクリート製の床を構成する為に、型枠として、デッキプレートを捨て型枠として使用していた。
【０００３】
この場合、デッキプレートの長さや幅を大きくする為に、デッキプレートの上面にトラスを溶接固定していた。従って、デッキプレートの下面にトラスの溶接縞が残っていた。デッキプレートをそのままスラブの下面（天井面）の簡易仕上材として利用する場合に、ベース板に溶接縞が生じ、ベース板の下面の外観を見苦しくしていた。
【０００４】
スラブを形成した後に、溶接縞を処理する為には、ベース板の下面に塗装をし、あるいはシートやボード類を貼着する等各種仕上げ材を施し、または天井材を張り、ベース板の下面を覆い隠さなければならなかった。従って、構築現場でのコンクリート打設後のデッキプレートの仕上げに手間が掛かると共に天井作業用の仮設作業費用がかさむことになっていた。
【０００５】
出願人は、このような問題を解決するために、デッキプレートに突部を形成し、突部とリブとを溶接する方法を提案し、上記の問題点を解決した（特許文献１）。
【特許文献１】特開平８−１５１７１８
【発明の開示】
【発明が解決しようとする課題】
【０００６】
しかし、特許文献１の技術では、デッキプレートの上面側で溶接作業をすることが必要であり、デッキプレートの上面側と下面側とに電極を配置する溶接装置に適用できない問題点があった。
【課題を解決するための手段】
【０００７】
然るにこの発明は、デッキプレートの上面に形成した結合リブに、トラス部材の一部を加圧しつつ溶接して形成される凹入部にトラス部材を固定するので、前記問題点を解決した。
【０００８】
即ちこの発明は、トラスの下端部をデッキプレートの上面側に溶接して固定してなるトラス付きのデッキプレートであって、以下を特徴とするトラス付きのデッキプレートである。  
(1) デッキプレートの上面に、結合リブを形成した。  
(2) 前記結合リブに形成した凹入部内にトラス部材又はトラスの補助材からなるトラス部材を溶接固定した。  
(3) 前記凹入部の下縁とデッキプレートの上面との間に、間隙を形成した。
【０００９】
また、他の発明は、以下の手順で製造することを特徴としたトラス付きデッキプレートの製造方法である。
【００１０】
(1) デッキプレートは、上面側に結合リブを形成する。  
(2) 前記デッキプレート上にトラス又はトラスの補助材からなるトラス部材を載置する。  
(3) 前記結合リブを挟んで、デッキプレートの上面側、下面側に夫々上電極、下電極を配置する。  
(4) 前記上電極で前記トラス部材を前記結合リブに押し付けるように加圧しながら、両電極に通電して、前記結合リブを溶融して凹入部を形成し、凹入部内にトラス部材を位置させた状態で、前記トラス部材とデッキプレートとを溶接固定する。  
(5) 前記凹入部の下縁とデッキプレートの上面との間に、間隙を形成する。
【００１１】
前記におけるトラス部材は、トラス又はトラスの補助材をいう。前記におけるトラスとは、平面トラス、立体トラスのいずれもトラスに含み、また並列した複数のトラスを連結鉄筋で連結した構造体もトラスに含む。また、前記におけるトラスの補助材は、複数のトラスを連結したトラスの吊り材、トラスの主構造から突出した部材等を指し、トラスを結合リブに固定できれば、構造は任意である。
【発明の効果】
【００１２】
デッキプレートの結合リブに、トラス又はトラスの補助材からなるトラス部材を押圧しつつ溶接するので、結合リブに溶融により凹入部が形成され、その凹入部に、トラス部材が嵌挿された状態で、溶接固定される。従って、トラスは強固にデッキプレートに固定され、トラスに無理な外力がかかった場合でも、溶接が外れるおそれがない。また、溶接作業を簡略化できる効果がある。
【００１３】
また、凹入部の下縁とデッキプレートの上面とに間隙を形成したので、デッキプレートの上面側、下面側に配置した電極を使用した汎用の溶接装置を使用して、溶接作業をした場合であっても、上下電極がデッキプレートを挟んで完全に密着するまで押し込まないので、デッキプレートの下面に溶接縞を生じることがない。従って、デッキプレートの下面を、素材の状態を保って使用することができる。
【００１４】
更に汎用の溶接装置に適用できるので、溶接縞を生じさせないトラス付きデッキプレートを効率良く自動溶接で製造できる効果がある。
【発明を実施するための最良の形態】
【００１５】
（１）  デッキプレート１は、互いに係合して連結できる連結縁２、３、を形成し、使用するトラス１５の接地位置に合わせて、長さ方向の結合リブ７、７が形成されている。トラス１５は、三角形状に配置した主鉄筋１６、１７、１７に波状鉄筋（ラチス材）１９を斜めに配置し、各当接点で溶接して、構成する。２本のトラス１５、１５を、連結鉄筋２０、２０のトラス固定部２３、２３の上に溶接して、一体に連結する。
【００１６】
（２）  トラス１５、１５を取り付けた連結鉄筋２０をデッキプレート１の上面４上に配置し、連結鉄筋２０の平坦部２１、２２を結合リブ７、７上に位置させる（図１（ａ）（ｂ）（ｄ））。続いて、デッキプレート１の結合リブ７、７を挟み、上面４側に上電極２６、下面５側に下電極２７を夫々配置し（図１（ｂ））、上電極２６を下方（図１（ｂ）矢示３２方向）に押圧しながら、上下電極２６、２７に印加する。印可により、比較的に軟らかい結合リブ７、７が融けて、連結鉄筋２０の断面形状に合わせて、凹入部８を形成する。連結鉄筋２０は凹入部８に嵌合した状態で溶接固定される。以上のようにして、トラス付きデッキプレート３０を構成する（図１（ａ）、図２）
（３）  この際、凹入部８の下縁９とデッキプレート１の上面４との間に距離Ｈ０の間隙（Ｈ０＝２〜３ｍｍ程度）が形成されるので（図１（ｃ）（ｅ））、デッキプレート１の上下面４、５に溶接縞の発生などの印可の影響が、生じることがない。
【実施例１】
【００１７】
図１、図２、図６に基づきこの発明の実施例を説明する。
【００１８】
（１）  デッキプレート１は、長さ方向に沿った両縁部を立ち上げて、互いに係合して連結できるように連結縁２、３、を形成してある。また、デッキプレート１の両端部及び中央部には、使用するトラス１５の接地位置に合わせて、長さ方向の結合リブ７、７が形成されている。
【００１９】
（２）  トラス１５は、デッキプレート１の長さ方向に、１本の主鉄筋１６を頂点として、２本の主鉄筋１７、１７が底辺を形成するように、三角形状に配置し、主鉄筋１６と一方の主鉄筋１７、主鉄筋１６と他の主鉄筋１７とを連結するように、波状鉄筋（ラチス材）１９を斜めに配置する。波状鉄筋１９の上端部１９ａと主鉄筋１６、波状鉄筋１９の下端部１９ｂと主鉄筋１７とは、各当接点で溶接固定される。
【００２０】
鉄筋を屈曲して、両端部の平坦部２１、２１の間に、上に凸状のトラス固定部２３、２３を形成して、連結鉄筋（トラスの補助材）２０を構成する。トラス固定部２３、２３の間を中間部を平坦部２２とする。連結鉄筋２０のトラス固定部２３に、主鉄筋１７、１７を下にしてトラス１５を配置し、主鉄筋１７、１７をトラス固定部２３、２３の上部水平材２４の上に固着する。
【００２１】
（３）  トラス１５を取り付けた連結鉄筋２０をデッキプレート１の上面４上に配置する。この際、連結鉄筋２０の平坦部２１、２２を結合リブ７、７上に置く（図１（ａ）（ｂ）（ｄ））。
【００２２】
（４）  続いて、デッキプレート１の結合リブ７、７を挟み、デッキプレート１の上面４側に上電極２６、下面側に下電極２７を夫々配置する（図１（ｂ））。上電極２６を下方（図１（ｂ）矢示３２方向）に押圧しながら、上下電極２６、２７に印加すれば、連結鉄筋２０より材厚の薄い結合リブ７、７が融けて、連結鉄筋２０の断面形状に合わせて、溶け込み代により半円状の凹入部８を形成する。連結鉄筋２０は凹入部８に嵌合した状態で溶接固定され、デッキプレート１とトラス１５付きの連結鉄筋２０とが一体に固定される。
【００２３】
この際、凹入部８の下縁９とデッキプレート１の上面４との間に距離Ｈ０の間隙（Ｈ０＝２〜３ｍｍ程度）が形成される（図１（ｃ）（ｅ））。従って、上下電極２６、２７はデッキプレート１の上下面４、５と接触しないので、デッキプレート１の上下面４、５に溶接縞の発生などの印可の影響が、生じることがない。
【００２４】
（５）  以上のようにして、トラス付きデッキプレート３０を構成する（図１（ａ）、図２）。
【００２５】
前記において、径ｄ０（＝５ｍｍ程度）の連結鉄筋２０を使用する場合、結合リブ７の高さＨは、７ｍｍ、程度で形成する。
【００２６】
また、このトラス付きデッキプレート３０は、従来のデッキプレート同様に、幅方向を連結縁２、３で係合して連結して、各種治具を使用して、鉄骨躯体又はコンクリート成型用型枠に取り付けられ、コンクリート製スラブの成型型枠として使用される（図示していない）。この際、デッキプレート１の下面５に溶接縞が発生していないので、デッキプレート１の下面５をそのまま、溶接縞傷跡が無い天井の仕上げ面として利用できる。
【００２７】
（６）他の実施例
前記実施例において、連結鉄筋２０の外径ｄ０の半分が埋まるように、上電極２６を押圧して凹入部８を半円形に形成したが、間隙Ｈ０を少なくとも２ｍｍ程度確保できれば、強く押圧し（連結鉄筋２０の全断面が凹入部８内に収容される程度）、あるいは、弱く押圧することもできる（図示していない）。この場合、連結鉄筋２０がより深く収容されれば、連結鉄筋２０と結合リブ７とがより強く連結固定され、トラス付きデッキプレート３０を搬送中又は施工中等で、溶接が外れるおそれがない。
【００２８】
また、前記実施例において、トラス１５の形状は、任意である（図示していない）。
【００２９】
また、前記実施例において、結合リブ７を形成してあれば、デッキプレート１の形状も任意である（図示していない）。
【００３０】
また、前記実施例において、結合リブ７をデッキプレート１の長さ方向に沿って形成したが、トラス１５（連結鉄筋２０）の一部と溶接する際に、凹入部８を形成できれば、結合リブ８の向きは任意である（図示していない）。通常は、「デッキプレートを補強するためのリブ」と「トラス溶接用切欠きを形成するリブ」とを兼用するため、デッキプレート１の長さ方向に形成することが望ましい。
【００３１】
また、前記実施例において、主鉄筋１７、１７を連結鉄筋２０のトラス固定部２３、２３の上部水平材２４の上に固着したが、トラス１５と連結鉄筋２０とが固定されれば、連結鉄筋２０の固定位置は任意である。例えば、連結鉄筋２０の上部水平材２４が、主鉄筋１７、１７の下面に位置するように配置することもできる（図６（ａ）（ｂ））。、この場合、連結鉄筋２０の上部水平材２４とトラスの主鉄筋１７、１７との溶接を省略することもできる。この場合、トラス１５とデッキプレート１との相対位置が保たれるように、デッキプレート１の上面とトラス１５の主鉄筋１７との間に治具（所定高さの鋼材やブロック等）を介在させる（図示していない）。
【実施例２】
【００３２】
図３に基づきこの発明の他の実施例を説明する。この実施例は、前記実施例１とトラス１５と連結鉄筋２０の構造が異なる実施例である。
【００３３】
（１）  デッキプレート１は、長さ方向に沿った両縁部を立ち上げて、互いに係合して連結できるように連結縁２、３、を形成してある。また、デッキプレート１の両端部及び中央部には、使用するトラスの接地位置に合わせて、長さ方向の結合リブ７、７が形成されている。また、トラス１５の結合リブ７以外の場所に、長さ方向の小リブ１１、１１が形成されている。
【００３４】
（２）  トラス１５は、デッキプレート１の長さ方向に、１本の主鉄筋１６を頂点として、２本の主鉄筋１７、１７が底辺を形成するように、三角形状に配置し、主鉄筋１６と一方の主鉄筋１７、主鉄筋１６と他の主鉄筋１７とを連結するように、波状鉄筋（ラチス材）１９を斜めに配置する。波状鉄筋１９と主鉄筋１６、１７、１７とは、当接点で溶接固定される。
【００３５】
鉄筋を屈曲して、両端部の平坦部２１、２１の間に、凸状のトラス固定部２３、２３を形成して、連結鉄筋（吊り鉄筋。トラスの補助材）２０を構成する。トラス固定部２３、２３の間を中間部を平坦部２２
とする。連結鉄筋２０のトラス固定部２３に、主鉄筋１６を下にして配置したトラス１５を配置し、主鉄筋１７、１７をトラス固定部２３、２３の上部水平材２４に固着する。
【００３６】
（３）  このトラス１５を取り付けた連結鉄筋２０は、実施例１と同様に、デッキプレート１の上面４上に、平坦部２１、２２が結合リブ７、７上に位置するように、配置する。実施例１と同様に、上電極２６で、平坦部２１、２２を下方（矢示３２方向）に押圧しながら、上下電極２６、２７に印加すれば、結合リブ７、７を介して、デッキプレート１とトラス１５付きの連結鉄筋２０とが一体に固定される。この際、結合リブ７、７の溶け込み代が凹入部８となり、連結鉄筋２０の平坦部２１、２２は凹入部８内に嵌合した状態で溶接固定されるので、強固に固定される。また、凹入部８の下縁９とデッキプレート１の上面４とに距離Ｈ０（Ｈ０＝２〜３mm程度）の間隙が形成されるので、デッキプレート１の上下面４、５に溶接縞などが生じることがない（図３（ｂ）（ｃ））。
【００３７】
（５）  以上のようにして、トラス付きデッキプレート３０を構成する（図３（ａ））。他の実施例は、実施例１と同様である（図示していない）。
【実施例３】
【００３８】
図４、図５に基づきこの発明の他の実施例を説明する。この実施例は、実施例１とはトラス１５の構造が異なり、また連結鉄筋２０を使用しない実施例である。
【００３９】
（１）  デッキプレート１は、前記実施例１、２と同様に、連結縁２、３、長さ方向の結合リブ７、７（高さＨ０）が形成されている。
【００４０】
（２）  トラス１５は、実施例１と同様に、主鉄筋１６、１７、１７、波状鉄筋１９、１９から、三角状に形成する。また、実施例１とは異なり、波状鉄筋１９の下端部は、主鉄筋１７より下方に突出して、かつ外側に向けて屈曲して、平面略Ｕ字状の連結部２８を形成する（図４）。
【００４１】
（３）  続いて、実施例１と同様に、トラス１５をデッキプレート１の上面４上に、波状鉄筋１９の連結部２８、２８の先端側が結合リブ７、７に載るように、配置する。続いて、上電極２６で連結部２８を下方（矢示３２方向）に押圧しながら、上下電極２６、２７に印可して、結合リブ７、７を介して、デッキプレート１とトラス１５の波状鉄筋１９とを一体に固定する。この際、結合リブ７、７の溶け込み代から凹入部８が形成され、凹入部８内に連結部２８が嵌合されて、強固に固定される（図５（ａ）（ｂ））。また、凹入部の下縁９とデッキプレート１の上面に間隙（Ｈ０）が形成されるので、デッキプレート１の上下面４、５に溶接縞の発生などの印可の影響が生じることがない。
【００４２】
以上のようにして、トラス付きデッキプレート３０を構成する（図４）。このトラス付きデッキプレート３０の使用及び他の実施例は、前記実施例１と同様である。
【図面の簡単な説明】
【００４３】
【図１】この発明の実施例で、（ａ）は側面図、（ｂ）（ｃ）は（ａ）のＪ部拡大図で、（ｂ）は溶接前、（ｃ）は溶接後を夫々表す。また、（ｄ）は（ｂ）のＫ−Ｋ線における断面図で、（ｅ）は（ｃ）のＬ−Ｌ線における断面図である。
【図２】同じく（ａ）は平面図、（ｂ）は図１（ａ）のＡ−Ａ線における断面図である。
【図３】この発明の実施例２で、（ａ）は側面図、（ｂ）は（ａ）のＦ−Ｆ線における断面図、（ｃ）は（ｂ）のＧ−Ｇ線における断面図である。
【図４】この発明の実施例２で、（ａ）は平面図、（ｂ）は（ａ）のＢ−Ｂ線における断面図、（ｃ）は正面図である。
【図５】同じく他の実施例で、（ａ）は図１（ａ）のＣ部の一部拡大図、（ｂ）は図１（ｃ）Ｅ部の一部拡大図である。
【図６】この発明の実施例１で、トラスと連結鉄筋の位置を変更した実施例で、（ａ）は側面図、（ｂ）は図１（ａ）のＡ−Ａ線に相当する線における断面図である。
【符号の説明】
【００４４】
１  デッキプレート
２、３  デッキプレートの連結縁
４  デッキプレートの上面
５  デッキプレートの下面
７  結合リブ
８  結合リブの凹入部
９    凹入部の下縁
１５  トラス
１６  主鉄筋
１７  主鉄筋
１９  波状鉄筋
２０  連結鉄筋
２１  連結鉄筋の平坦部
２２  連結鉄筋の平坦部
２３  連結鉄筋のトラス固定部
２６  上電極
２７  下電極
２８  波状鉄筋の連結部
３０  トラス付きデッキプレート
【図１】
2006226022.tif 000003
【図２】
2006226022.tif 000004
【図３】
2006226022.tif 000005
【図４】
2006226022.tif 000006
【図５】
2006226022.tif 000007
【図６】
2006226022.tif 000008